【手続補正書】
【提出日】平成18年7月21日(2006.7.21)
【手続補正１】
【補正対象書類名】特許請求の範囲
【補正対象項目名】全文
【補正方法】変更
【補正の内容】
【特許請求の範囲】
【請求項１】
ディジタルウェーブレットマルチキャリア変調処理を行う通信装置であって、受信装置は受信したアナログ信号をディジタル信号に変換するＡ／Ｄ変換器と、受信信号をウェーブレット変換して同相信号および直交信号を生成するウェーブレット変換器と、受信信号を検出するためのキャリア検出器と、受信信号に同期するための同期回路と、伝送路の影響により歪んだ信号を補正するための等化器と、前記ウェーブレット変換器により変換された後の信号を使用して各サブキャリア帯域での狭帯域雑音の有無を検出するノイズ検出器と、前記等化器から出力される信号と前記ノイズ検出器から出力される狭帯域雑音の有無情報を用いて送信装置におけるシンボルマッパの各サブキャリアで使用する一次変調の多値度を決定する伝送路推定器と、前記等化器から出力される信号を使用して判定を行う判定器とを有することを特徴とする通信装置。
【請求項２】
前記ノイズ検出器は、前記ウェーブレット変換器により変換された後の信号の出力が所定の値を超えている場合、狭帯域ノイズであると判断することを特徴とする請求項１に記載の通信装置。
【請求項３】
前記ノイズ検出器によりノイズ有りと判定された場合、前記伝送路推定器は判定されたサブキャリアを不使用とすることを特徴とする請求項１または２に記載の通信装置。
【請求項４】
受信装置は受信した信号を自動的に利得を調節するＡＧＣ回路を更に有し、前記ノイズ検出器は、前記ＡＧＣ回路からの出力により、利得の変動が所定の値を超えた場合、広帯域のノイズがあると判定することを特徴とする請求項１に記載の通信装置。
【請求項５】
伝送路として電力線を用いる場合に、前記伝送路推定器は、電源周期期間連続して伝送路推定用フレームを使用して電源周期１周期分の伝送路推定を行い、どのタイミングで雑音による変動や伝送路変動が起きたのかを把握し、その区間では信号を出さないようにするもしくは送信装置のシンボルマッパの一次変調の多値度を下げる、あるいは周波数ダイバーシチあるいは時間ダイバーシチあるいは両方のダイバーシチを用いることを特徴とする請求項１あるいは４記載の通信装置。
【請求項６】
前記伝送路推定器は、各サブキャリアにおいて変動の影響があるしきい値よりも小さい場合は、変動があっても使用することを特徴とする請求項１あるいは４記載の通信装置。
【請求項７】
ディジタルウェーブレットマルチキャリア変調処理を行う通信装置であって、受信装置は受信したアナログ信号をディジタル信号に変換するＡ／Ｄ変換器と、受信信号をウェーブレット変換して同相信号および直交信号を生成するウェーブレット変換器と、送信装置から送られる送信信号を検出するためのキャリア検出器と、受信信号に同期するための同期回路と、伝送路の影響により歪んだ信号を補正するための等化器と、前記等化器から出力される信号を使用して判定を行う判定器と、前記等化器から出力される信号と前記判定器から出力される判定値を用いて送信装置におけるシンボルマッパの各サブキャリアで使用する一次変調の多値度を決定する伝送路推定器とを有することを特徴とする通信装置。
【請求項８】
前記伝送路推定器は、伝送路を推定するために必要なシンボル数よりもデータフレーム内のシンボル数が少ない場合でも正確に伝送路推定を行うことを特徴とする請求項７記載の通信装置。
【請求項９】
前記伝送路推定器は、伝送路推定専用フレームにおいて不使用と判断されたサブキャリアにおいてもデータフレームでは伝送路推定が行えるようにすることを特徴とする請求項７記載の通信装置。
【請求項１０】
ディジタルウェーブレットマルチキャリア変調処理を行う通信装置であって、受信装置は受信したアナログ信号をディジタル信号に変換するＡ／Ｄ変換器と、受信信号をウェーブレット変換して同相信号および直交信号を生成するウェーブレット変換器と、受信信号を検出するためのキャリア検出器と、受信信号に同期するための同期回路と、伝送路の影響により歪んだ信号を補正するための等化器と、伝送路推定を行った結果を利用して、送信装置におけるシンボルマッパの各サブキャリアで使用する一次変調の多値度を決定する伝送路推定器と、前記等化器から出力される信号を使用して判定を行う判定器とを有するとともに、前記伝送路推定器は、伝送路推定要求に対して複数回の伝送路推定を行うことを特徴とする通信装置。
【請求項１１】
前記伝送路推定器は、伝送路推定結果と前記伝送路推定器で使用するしきい値変更を組み合わせることを特徴とする請求項１０に記載の通信装置。
【請求項１２】
前記伝送路推定器は、推定の複数結果と再送を組み合わせ、各サブキャリアで得られた結果に対して、その変動が大きいサブキャリアは不使用とするあるいは得られた結果の中で最小値を選ぶことを特徴とする請求項１０に記載の通信装置。
【請求項１３】
伝送路として電力線を使用する通信装置であって、前記伝送路推定器は、伝送路推定要求に対して２回の伝送路推定を行うものとし、２回の伝送路推定のうち少なくとも１回は電源周期に同期した伝送路変動に同期しないで伝送路推定を行うことを特徴とする請求項１０に記載の通信装置。
【請求項１４】
伝送路として電力線を使用する通信装置であって、前記伝送路推定器は、伝送路が周期的に変動していると判断した場合はフレームを分割することを特徴とする請求項１０に記載の通信装置。
【請求項１５】
ディジタルウェーブレットマルチキャリア変調処理を行う通信装置であって、受信装置は受信したアナログ信号をディジタル信号に変換するＡ／Ｄ変換器と、受信信号をウェーブレット変換して同相信号および直交信号を生成するウェーブレット変換器と、受信信号を検出するためのキャリア検出器と、受信信号に同期するための同期回路と、伝送路の影響により歪んだ信号を補正するための等化器と、伝送路推定を行った結果を利用して、送信装置におけるシンボルマッパの各サブキャリアで使用する一次変調の多値度を決定する伝送路推定器と、前記等化器から出力される信号を使用して判定を行う判定器とを有するとともに、前記伝送路推定器は、伝送路の状態と送信装置に求める伝送データ量とにより伝送路推定を行うことを特徴とする通信装置。
【請求項１６】
前記伝送路推定器は、伝送路の状態と伝送したいデータのアプリケーションの種類とにより伝送路推定を行うことを特徴とする請求項１５に記載の通信装置。
【請求項１７】
ディジタルウェーブレットマルチキャリア変調処理を行う通信装置であって、受信装置は受信したアナログ信号をディジタル信号に変換するＡ／Ｄ変換器と、受信信号をウェーブレット変換して同相信号および直交信号を生成するウェーブレット変換器と、受信信号を検出するためのキャリア検出器と、受信信号に同期するための同期回路と、伝送路の影響により歪んだ信号を補正するための等化器と、伝送路推定を行った結果を利用して、送信装置におけるシンボルマッパの各サブキャリアで使用する一次変調の多値度を決定する伝送路推定器と、前記等化器から出力される信号を使用して判定を行う判定器とを有するとともに、前記伝送路推定器は、伝送路の群遅延を軽減した伝送路推定を行うことを特徴とする通信装置。
【請求項１８】
ディジタルウェーブレットマルチキャリア変調処理を行う通信装置であって、受信装置は受信したアナログ信号をディジタル信号に変換するＡ／Ｄ変換器と、受信信号をウェーブレット変換して同相信号および直交信号を生成するウェーブレット変換器と、受信信号を検出するためのキャリア検出器と、受信信号に同期するための同期回路と、伝送路の影響により歪んだ信号を補正するための等化器と、伝送路推定を行った結果を利用して、送信装置におけるシンボルマッパの各サブキャリアで使用する一次変調の多値度を決定する伝送路推定器と、前記等化器から出力される信号を使用して判定を行う判定器とを有するとともに、前記伝送路推定器は、所望の伝送速度が得られない場合、送信装置からの送信データに冗長度を設けることにより伝送路推定を行うことを特徴とする通信装置。
【請求項１９】
ディジタルウェーブレットマルチキャリア変調処理を行う通信装置であって、受信装置は受信したアナログ信号をディジタル信号に変換するＡ／Ｄ変換器と、受信信号をウェーブレット変換して同相信号および直交信号を生成するウェーブレット変換器と、受信信号を検出するためのキャリア検出器と、受信信号に同期するための同期回路と、伝送路の影響により歪んだ信号を補正するための等化器と、伝送路推定を行った結果を
利用して、送信装置におけるシンボルマッパの各サブキャリアで使用する一次変調の多値度を決定する伝送路推定器と、前記等化器から出力される信号を使用して判定を行う判定器とを有するとともに、前記伝送路推定器は、所望伝送速度が満たせない時に送信装置が送信電力を増加させて所望伝送速度を満たそうとする場合は、送信電力の利得増加分に比例して他の既存システムの使用帯域付近のサブキャリアを不使用とすることを特徴とする通信装置。
【請求項２０】
ディジタルウェーブレットマルチキャリア変調処理を行う通信装置であって、受信装置は受信したアナログ信号をディジタル信号に変換するＡ／Ｄ変換器と、受信信号をウェーブレット変換して同相信号および直交信号を生成するウェーブレット変換器と、受信信号を検出するためのキャリア検出器と、受信信号に同期するための同期回路と、伝送路の影響により歪んだ信号を補正するための等化器と、伝送路推定を行った結果を利用して、送信装置におけるシンボルマッパの各サブキャリアで使用する一次変調の多値度を決定する伝送路推定器と、前記等化器から出力される信号を使用して判定を行う判定器とを有するとともに、前記伝送路推定器は、前記等化器出力の信号を用いて求めるＣＩＮＲ（キャリア電力対（雑音＋干渉波）電力比）と前記ウェーブレット変換後に求める伝送路のＳＮＲ（信号電力対雑音電力比）を使用して送信装置の送信電力を制御することを特徴とする通信装置。
【請求項２１】
ディジタルウェーブレットマルチキャリア変調処理を行う通信装置であって、受信装置は受信したアナログ信号をディジタル信号に変換するＡ／Ｄ変換器と、受信信号をウェーブレット変換して同相信号および直交信号を生成するウェーブレット変換器と、受信信号を検出するためのキャリア検出器と、受信信号に同期するための同期回路と、伝送路の影響により歪んだ信号を補正するための等化器と、伝送路推定を行った結果を利用して、送信装置におけるシンボルマッパの各サブキャリアで使用する一次変調の多値度を決定する伝送路推定器と、前記等化器から出力される信号を使用して判定を行う判定器とを有するとともに、前記伝送路推定器は、前記ウェーブレット変換後の受信信号を用いて求められる伝送路のＳＮＲを使用して最大伝送速度で且つ送信電力最小となるように送信装置の各サブキャリアの利得を制御することを特徴とする通信装置。
【請求項２２】
ディジタルウェーブレットマルチキャリア変調処理を行う通信装置であって、受信装置は受信したアナログ信号をディジタル信号に変換するＡ／Ｄ変換器と、受信信号をウェーブレット変換して同相信号および直交信号を生成するウェーブレット変換器と、受信信号を検出するためのキャリア検出器と、受信信号に同期するための同期回路と、伝送路の影響により歪んだ信号を補正するための等化器と、伝送路推定を行った結果を利用して、送信装置におけるシンボルマッパの各サブキャリアで使用する一次変調の多値度を決定する伝送路推定器と、前記等化器から出力される信号を使用して判定を行う判定器とを有するとともに、前記伝送路推定器は、前記等化器出力の信号を用いて求められるＣＩＮＲを使用して送信装置の各サブキャリアの利得を制御することを特徴とする通信装置。
【請求項２３】
ディジタルウェーブレットマルチキャリア変調処理を行う通信装置であって、受信装置は受信したアナログ信号をディジタル信号に変換するＡ／Ｄ変換器と、受信信号をウェーブレット変換して同相信号および直交信号を生成するウェーブレット変換器と、受信信号を検出するためのキャリア検出器と、受信信号に同期するための同期回路と、伝送路の影響により歪んだ信号を補正するための等化器と、伝送路推定を行った結果を利用して、送信装置におけるシンボルマッパの各サブキャリアで使用する一次変調の多値度を決定する伝送路推定器と、前記等化器から出力される信号を使用して判定を行う判定器とを有するとともに、前記伝送路推定器は、前記ウェーブレット変換後の受信信号を用いて求められる受信レベルを使用して全サブキャリアの中からＭＡＸレベルを抽出し、ｏｆｆｓｅｔレベルを設定して（ＭＡＸレベル−ｏｆｆｓｅｔレベル）以上のレベルで受信されているサブキャリアの利得を一律βだけ下げる、あるいはそれらのサブキャリアを不使用とすることを特徴とする通信装置。
【請求項２４】
伝送路推定器を有する受信装置と、受信装置から送信される伝送路推定結果に基づく情報を使用して送信データフレームを決定する送信装置とを有する通信装置であって、前記送信装置は、前記伝送路推定器から得た伝送路推定結果に基づく情報を情報信号の先頭に置いた送信データフレームを送信することを特徴とする通信装置。
【請求項２５】
前記送信装置は、伝送路推定結果に基づく情報を情報信号の先頭に置くとともに、伝送路推定結果に基づく情報にダイバーシティ処理を施すことを特徴とする請求項２４に記載の通信装置。
【請求項２６】
複数のサブキャリアを有するマルチキャリア信号を電力線に重畳して通信を行う通信装置であって、
前記複数のサブキャリアのうち少なくとも１つのサブキャリアをウェーブレット変換して同相信号および直交信号を生成するウェーブレット変換器と、
前記ウェーブレット変換器により生成された同相信号および直交信号の歪みを補正する等化器と、
前記等化器により歪みが補正された同相信号および直交信号のノイズ量を検出し、検出されたノイズ量に基づいて、前記少なくとも１つのサブキャリアに使用する一次変調の多値度を決定する伝送路推定器と、を有する通信装置。
【請求項２７】
請求項２６記載の通信装置であって、
前記伝送路推定器は、前記ノイズ量を検出するためのフレームを電源周期に応じて前記電力線に出力することを特徴とする通信装置。
【請求項２８】
請求項２７記載の通信装置であって、
前記伝送路推定器は、複数の前記フレームを前記電源周期の１周期に前記電力線に出力することを特徴とする通信装置。
【請求項２９】
請求項２８記載の通信装置であって、
前記伝送路推定器は、前記電源周期の半周期毎に少なくとも１つの前記フレームを前記電力線に出力することを特徴とする通信装置。
【請求項３０】
請求項２７記載の通信装置であって、
前記伝送路推定器は、前記ノイズ量が検出された時間においては信号を出力しないことを特徴とする通信装置。
【請求項３１】
請求項２７記載の通信装置であって、
前記伝送路推定器は、前記ノイズ量が検出された時間においては、前記少なくとも１つのサブキャリアについて決定された一次変調の多値度を下げることを特徴とする通信装置。
【請求項３２】
請求項２７記載の通信装置であって、
前記伝送路推定器は、前記ノイズ量が検出された時間においては、前記少なくとも１つのサブキャリアの周波数ダイバーシチまたは時間ダイバーシチの少なくとも一方を用いることを特徴とする通信装置。
【手続補正２】
【補正対象書類名】明細書
【補正対象項目名】００３３
【補正方法】変更
【補正の内容】
【００３３】
本発明の請求項２５に記載の通信装置は、請求項２４に記載の通信装置において、前記送信装置は、伝送路推定結果に基づく情報を情報信号の先頭に置くとともに、伝送路推定結果に基づく情報にダイバーシティ処理を施すこととする。このような構成にすることにより、システムディレイが小さく、高耐性を持つＴＭＩ信号を生成できる。
本発明の請求項２６に記載の通信装置は、複数のサブキャリアを有するマルチキャリア信号を電力線に重畳して通信を行う通信装置であって、前記複数のサブキャリアのうち少なくとも１つのサブキャリアをウェーブレット変換して同相信号および直交信号を生成するウェーブレット変換器と、前記ウェーブレット変換器により生成された同相信号および直交信号の歪みを補正する等化器と、前記等化器により歪みが補正された同相信号および直交信号のノイズ量を検出し、検出されたノイズ量に基づいて、前記少なくとも１つのサブキャリアに使用する一次変調の多値度を決定する伝送路推定器と、を有する。
この構成により、電力線伝送路の狭帯域雑音による変動に対して十分に追従することが可能となり、結果として伝送効率を高めることができるという作用を有する。
本発明の請求項２７に記載の通信装置は、請求項２６記載の通信装置において、前記伝送路推定器は、前記ノイズ量を検出するためのフレームを電源周期に応じて前記電力線に出力することを特徴とする。
このような構成により、たとえば電源周期に同期した雑音の変動や伝送路変動に対して予測することが可能となる。
本発明の請求項２８に記載の通信装置は、請求項２７記載の通信装置において、前記伝送路推定器は、複数の前記フレームを前記電源周期の１周期に前記電力線に出力することを特徴とする。このような構成により、たとえば電源周期に同期した雑音の変動や伝送路変動に対して予測することが可能となる。
本発明の請求項２９に記載の通信装置は、請求項２８記載の通信装置において、前記伝送路推定器は、前記電源周期の半周期毎に少なくとも１つの前記フレームを前記電力線に出力することを特徴とする。このような構成により、たとえば電源周期に同期した雑音の変動や伝送路変動に対して予測することが可能となる。
本発明の請求項３０に記載の通信装置は、請求項２７記載の通信装置において、前記伝送路推定器は、前記ノイズ量が検出された時間においては信号を出力しないことを特徴とする。このような構成により、たとえば電源周期に同期した雑音の変動や伝送路変動に対して予測することが可能となり、効率よく信号を送受信することができるという作用を有する。
本発明の請求項３１に記載の通信装置は、請求項２７記載の通信装置において、前記伝送路推定器は、前記ノイズ量が検出された時間においては、前記少なくとも１つのサブキャリアについて決定された一次変調の多値度を下げることを特徴とする。このような構成により、たとえば電源周期に同期した雑音の変動や伝送路変動に対して予測することが可能となり、効率よく信号を送受信することができるという作用を有する。
本発明の請求項３２に記載の通信装置は、請求項２７記載の通信装置において、前記伝送路推定器は、前記ノイズ量が検出された時間においては、前記少なくとも１つのサブキャリアの周波数ダイバーシチまたは時間ダイバーシチの少なくとも一方を用いることを特徴とする。このような構成により、たとえば電源周期に同期した雑音の変動や伝送路変動に対して予測することが可能となり、効率よく信号を送受信することができるという作用を有する。